(57)【要約】【課題】輸送時や保管時であっても生花に常時保水用の水を供給し続け、輸送時や保管時  に生じ易い生花の乾燥や萎れを防止し、転倒させても保水用の水が外部に漏出すること  がなく、横積みの状態で輸送及び保管することができ、輸送及び保管時の省スペース化  をも達成しうる、取り扱い易く製造コストの嵩まない生花輸送用容器を提供する。【解決手段】生花の保水用の水Ｗを貯溜する容器本体１０と、生花の束を容器本体１０の底面１１に対して起立状態で保持するとともに、転倒時には容器本体１０から水Ｗが漏出するのを防止する蓋２０とを備え、容器本体１０は、上面に開口部１２を設け、蓋２０は、容器本体１０の開口部１２に対し水密状態に装着可能とし、容器本体１０内へ延びる生花保持筒２１を設け、転倒時、水Ｗの全量が、容器本体１０と生花保持筒２１との間の空間に滞留可能とさせた。【選択図】  図４
2006052025.tif 000002
【特許請求の範囲】
【請求項１】
生花の輸送時や保管時に生じる生花の乾燥や萎れの防止に必要な量の保水用の水を貯溜する容器本体と、
この容器本体内に入れられる生花の束を、容器本体の底面に対して起立状態で保持するとともに、転倒時には容器本体から前記水が漏出するのを防止する蓋とを備え、
前記容器本体は、その上面に開口部が設けられ、
前記蓋は、容器本体の開口部に対し水密状態に装着可能とされるとともに、容器本体内へ延びる生花保持筒が設けられ、
転倒時、前記水の全量が、容器本体と生花保持筒との間の空間に滞留可能とされた生花輸送用容器において、
前記生花保持筒は、蛇腹状に形成され、周方向に伸縮可能とされたことを特徴とする生花輸送用容器。
【請求項２】
前記容器本体は、その内面適所に、生花挿入時前記生花保持筒の姿勢が崩れるのを防止する保持筒支持手段が設けられたことを特徴とする請求項１に記載の生花輸送用容器。
【請求項３】
前記容器本体は、少なくとも、転倒時に容器本体外の床面と接する側壁の内面に、前記生花保持筒の外面と常時接し、生花挿入時生花保持筒の姿勢が崩れるのを防止するとともに、転倒時には生花保持筒が前記側壁側に沈下するのを防止する保持筒沈下防止手段が設けられたことを特徴とする請求項１又は２に記載の生花輸送用容器。
【請求項４】
前記生花保持筒は、前記保持筒沈下防止手段に対応する部位及びその周辺適所に、該部位の周辺が保持筒沈下防止手段よりも下方に垂下するのを防止する垂下防止手段を有することを特徴とする請求項３に記載の生花輸送用容器。
【請求項５】
前記容器本体は、前記生花保持筒の下端開口部が臨む底面に、生花の切断端部を保持する切断端保持部を有することを特徴とする請求項１乃至４のいずれか一つに記載の生花輸送用容器。
【請求項６】
前記生花保持筒は、裾窄まりに形成され、蓋同士のスタックが可能とされたことを特徴とする請求項１乃至５のいずれか一つに記載の生花輸送用容器。
【請求項７】
前記容器本体は、全体が裾窄まりに形成されるとともに、側壁の外面形状が、側壁の内面形状と略合致する形状とされ、容器本体同士のスタックが可能とされたことを特徴とする請求項１乃至６のいずれか一つに記載の生花輸送用容器。
【請求項８】
前記容器本体は、側壁の少なくとも一部に、外部の床面と安定して接する平滑面を有することを特徴とする請求項１乃至７のいずれか一つに記載の生花輸送用容器。
【請求項９】
前記生花保持筒は、その前記平滑面に対応する位置に転倒時に水平となる平坦部が設けられたことを特徴とする請求項８に記載の生花輸送用容器。
【請求項１０】
前記容器本体は、底面に、起立時、前記水の液面を上昇させる沈漬体が前記生花と干渉しないよう設けられたことを特徴とする請求項１乃至９のいずれか一つに記載の生花輸送用容器。
【請求項１１】
前記容器本体は、側壁に、転倒時、前記水の液面を下降させるべく水の流入を許容する凹部が設けられたことを特徴とする請求項１乃至１０のいずれか一つに記載の生花輸送用容器。
【発明の詳細な説明】
【技術分野】
【０００１】
本発明は、生花輸送用容器に関し、特に、輸送時や保管時であっても生花に常時保水用の水を供給し続け、輸送時や保管時に生じ易い生花の乾燥や萎れを防止しうるとともに、転倒させても保水用の水が外部に漏出することのない生花輸送用容器に関する。
【背景技術】
【０００２】
生花、特に切り花を、生産地から卸売市場まで、また卸売市場から販売店まで輸送する際、大半は、偏平な段ボール箱を使用し、この箱内に切り花を横に寝かせた状態で収容しているが、輸送中、切り花には給水が全く行われないため、この方法では目的地に到着するまで切り花の鮮度を保つのは困難であった。
【０００３】
そこで、従来、容器に保水用の水を貯溜しておき、この容器に切り花を挿して輸送する方法が考えられ、その輸送方法に適する容器として、例えば、実用新案登録第３０５５６６３号公報（特許文献１）に見られるような容器が提案されている。
【０００４】
この容器は、上方を開口した防水性下容器の上方の開口周縁部に、底面を開口した上容器の底面の開口周縁を脱着自在に係合して細長の植物収納容器本体を形成するとともに、下容器又は上容器に給水孔を設けたものである。
【０００５】
しかしながら、上記したような容器にあっては、輸送中や保管中に転倒すると、容器内部の水が外に流出してしまい、水の補給ができない場合は、収容した切り花が乾燥したり萎れたりし、商品価値がなくなってしまうといった問題があった。また、容器から流出した水が周囲を汚損するといった問題もあった。さらに、容器本体から水が流出しないよう容器を常に起立状態で使用する必要があることから、輸送時や保管時に嵩高くならざるを得ず、輸送量や保管量に制約を受けるといった問題もあった。
【０００６】
このような問題を解決するものとして、例えば特開２００２−１５４５８９号公報（特許文献２）には、転倒しても容器内の水が外部に流出する虞のない切り花用包装容器が提案されている（以下、第１従来技術という）。
【０００７】
この容器は、容器本体に貯溜する水の面より上方位置に、略中央部に切り花を挿入するための開口を形成した仕切部を設け、この仕切部によって、容器が転倒した場合でも、容器本体に貯溜した水が外部に流出、漏洩するのを防止したものである。
【０００８】
また、上記第１従来技術のものとは別に、図１１及び図１２に示すように、容器本体Ａ内に下端開口部が存する内筒Ｂを一体的に形成し、容器が転倒しても内部の水が容器本体Ａの内壁面と内筒の外周面との間の空間Ｃに流れ込むようにして、容器本体Ａ内の水が外部に流出、漏洩するのを防止したものが提案されている（以下、第２従来技術という）。尚、図中の符号Ｄは、容器使用後に容器内の水を排出するための排出部を示し、この排出部Ｄは容器本体Ａと一体成形されており、凸部を切除することで開口される。再使用（水を注入）する場合は、栓等で閉塞される。
【発明の開示】
【発明が解決しようとする課題】
【０００９】
しかしながら、前記第１従来技術のものにあっては、切り花は仕切板の開口部によってのみ支持され、仕切板には僅かな厚みしかないことから、切り花が十分に保持されず、このため輸送中などに容易に傾いてしまい、隣接する容器の切り花と接触して切り花同士が損傷し合ったりするといった問題があった。
【００１０】
また、容器が転倒した場合の水の流出を仕切板で防止することを主眼にしたものであって、容器を転倒させたまま輸送するといった発想のものではなく、容器を常に起立状態で使用することを前提としたものであるから、前記実用新案登録第３０５５６６３号公報の容器の場合と同様、輸送時や保管時に嵩高くならざるを得ず、輸送量や保管量に制約を受けるといった問題もあった。
【００１１】
なお、転倒しても仕切板によって水が外部に流出しないのであるから、容器を転倒させた状態でも使用できるようにも見えるが、前述したように切り花は仕切板の開口部によってのみ支持されるため、転倒させて使用すると、開口部と接する部分に切り花自体の重みがかかり、しかも開口部には十分な厚みがないことから、該開口部と接する部分で切り花が損傷してしまい、商品価値が損なわれてしまうといった問題がある。
【００１２】
一方、前記第２従来技術にあっては、上記したような第１従来技術における問題はないが、次のような別の問題があった。
【００１３】
すなわち、内筒が容器本体と一体に設けられているため、切り花の種類が異なりその束の太さが種々ある場合に、個々に対応する内径をもった複数種類の容器を用意しておく必要があり、その分容器の製造コストが嵩むといった問題があった。
【００１４】
また、内筒は伸縮するものではないため、切り花の束の太さを内筒の内径に合うよう細かく調整する必要があり、取り扱いに不便であった。すなわち、束の太さが内筒の内径よりも大きい場合、無理に束を内筒に挿入すると切り花の茎を痛めてしまい、逆に束の太さが内筒の内径よりも小さい場合は、切り花が傾斜し易くなり、前記第１従来技術の場合と同様の問題が生じる。このため、内筒に束を挿入する際に数本の切り花を間引いたり或いは足したりするなどして束の太さを細かく調整する必要があり、この調整作業が必要になる分、使い勝手が悪いものであった。
【００１５】
さらに、内筒と容器本体とが一体に成形されたものであるため、不使用時に容器同士をスタック（積み重ね）したとしても、かなり嵩張り、輸送や保管に不便であるといった問題もあった。
【００１６】
またさらに、内筒と容器本体とが一体に成形されたものであるから、使用後、容器本体内の水を排出させるための排水口を別途形成するとともに、使用時にはこの排水口を閉塞しておくための手段が必要であり、その分製造コストが嵩むといった問題もあった。
【００１７】
また、この種の容器にあっては、起立時に生花の水揚げが良好に行われるよう水深（容器底面から水面までの距離）を極力深くする必要がある一方で、転倒時には内筒から水が容器外部に漏出しないよう水深（容器側面から水面までの距離）を浅くする必要があるうえ、輸送重量を極力減らす必要もあることから、第２従来技術では、内筒Ｂの下端開口部に対向する容器Ａの底面を面積の狭いものとして起立時の水深を稼ぐ（水の液面を上昇させる）一方、空間Ｃを大きく採ることによって転倒時における水の液面を極力低くし、転倒時の水位が内筒Ｂに達しないように図っている。このため、上記したように底面積が上部に比べて極端に狭くならざるを得ないことから、起立時にあっては、安定性に欠け、生花の背丈が高いと容易に転倒してしまい、その結果、生花を傷めてその商品価値を損なわせてしまうといった問題があった。
【００１８】
本発明は、上述の問題点に鑑み創案されたものであって、輸送時や保管時であっても生花に保水用の水を常時供給し続け、輸送時や保管時に生じ易い生花の乾燥や萎れを防止しうることは勿論のこと、起立時の安定性に富み、転倒させても保水用の水が外部に漏出することがなく、いわゆる横積みの状態で輸送及び保管することができ、輸送及び保管時の省スペース化をも達成しうるとともに、取り扱い易く製造コストの嵩まない、さらには保水用の水量が少なくて済み輸送重量の軽減をも図ることのできる生花輸送用容器を提供することを目的とする。
【特許文献１】実用新案登録第３０５５６６３号公報
【特許文献２】特開２００２−１５４５８９号公報
【課題を解決するための手段】
【００１９】
上記目的を達成するため、本発明に係る生花輸送用容器は、生花の輸送時や保管時に生じる生花の乾燥や萎れの防止に必要な量の保水用の水を貯溜する容器本体と、この容器本体内に入れられる生花の束を、容器本体の底面に対して起立状態で保持するとともに、転倒時には容器本体から前記水が漏出するのを防止する蓋とを備え、前記容器本体は、その上面に開口部が設けられ、前記蓋は、容器本体の開口部に対し水密状態に装着可能とされるとともに、容器本体内へ延びる生花保持筒が設けられ、転倒時、前記水の全量が、容器本体と生花保持筒との間の空間に滞留可能とされた生花輸送用容器において、前記生花保持筒は、蛇腹状に形成され、周方向に伸縮可能とされたことを特徴とするものである。
【００２０】
このような本発明によれば、生花は、起立時にあっては、その下端部が水に浸ることになるため、保水が行われる。一方、転倒時にあっては、生花の下端部は水に浸らなくなるが、該水から発生する水蒸気により保水が行われる。また、転倒時は、容器本体内の水は、その全量が容器本体と生花保持筒との間の空間に滞留するとともに、蓋は容器本体の開口部に水密状態に装着されていることから、容器本体内の水が、生花保持筒や、容器本体と蓋との境界等を通じて外部に漏出することはない。また、前記生花保持筒は、蛇腹状に形成され、周方向に伸縮可能とされているから、生花の束の太さに大小が生じても伸縮範囲内で対応が可能となるほか、生花保持筒の収縮作用により生花の束がしっかりと保持され、生花の起立姿勢が安定する。
【００２１】
また、容器本体には、その内面適所に、生花挿入時、生花保持筒の姿勢が崩れるのを防止する保持筒支持手段が設けられていてもよい。
【００２２】
この場合、起立時にあっては、生花の傾斜が完全に阻止され、また、転倒時にあっては、生花の重みで生花保持筒が撓み、その結果生花保持筒の下端縁が容器本体内の水中に水没して、水が生花保持筒を伝って外部に漏出するといったことが防止される。なお、生花保持筒が蛇腹状に形成されている場合には、生花保持筒の外周面と保持筒支持手段との間に、生花保持筒の伸縮を許容する隙間を設けておくのが好ましい。
【００２３】
また、容器本体は、少なくとも、転倒時に容器本体外の床面と接する側壁の内面に、生花保持筒の外面と常時接し、生花挿入時、生花保持筒の姿勢が崩れるのを防止するとともに、転倒時には生花保持筒が側壁側に沈下するのを防止する保持筒沈下防止手段が設けられていてもよい。
【００２４】
この場合も、起立時にあっては、生花の傾斜が完全に阻止され、また、転倒時にあっては、生花の重みで生花保持筒が容器本体の側壁側に沈下し、その結果生花保持筒の下端縁が容器本体内の水中に水没して、水が生花保持筒を伝って外部に漏出するといったことが防止される。特に、この保持筒沈下防止手段は、転倒時に容器本体外の床面と接する側壁の内面に設けられているから、当該側壁を下にして容器本体を転倒させた状態を長期間継続させても、生花保持筒が生花の重みで容器本体の側壁側に沈下することがない。この点、前記保持筒支持手段は、生花保持筒との間に隙間がある場合、その隙間分生花保持筒が生花の重みで容器本体の側壁側に沈下するので、容器本体を長期間転倒させたままにする場合にはあまり適さないが、少なくとも、容器本体が転倒した瞬間、生花の重みで生花保持筒が撓んで生花保持筒の下端縁が容器本体内の水中に水没し続け、水が生花保持筒を伝って外部に漏出するといったことは防止される。
【００２５】
また、生花保持筒は、保持筒沈下防止手段に対応する部位及びその周辺に、該部位の周辺が保持筒沈下防止手段よりも下方に垂下するのを防止する垂下防止手段を有していてもよい。
【００２６】
この場合、特に生花保持筒が蛇腹状に形成されている場合には、保持筒沈下防止手段が設けられている側壁を下にして容器本体を転倒させた状態を長期間継続させた時に、生花の重みで、保持筒沈下防止手段に対応する部位の周辺が保持筒沈下防止手段よりも下方に垂下しようとするのを防止しうる。
【００２７】
また、容器本体は、生花保持筒の下端開口部が臨む底面に、生花の切断端部を保持する切断端保持部を有していてもよい。
【００２８】
この場合、切断端保持部が生花保持筒と協働で生花をしっかりと保持することになるので、起立状態にあっても転倒状態にあっても生花の姿勢を常に適正に維持することができる。
【００２９】
また、生花保持筒は、裾窄まりに形成され、蓋同士のスタックが可能とされていてもよい。
【００３０】
これにより、不使用時における容器の保管スペースを削減することができ、省スペース化に寄与できる。
【００３１】
また、容器本体は、全体が裾窄まりに形成されるとともに、側壁の外面形状が、側壁の内面形状と略合致する形状とされ、容器本体同士のスタックが可能とされていてもよい。
【００３２】
この場合も、不使用時における容器の保管スペースを削減することができ、省スペース化に寄与できる。
【００３３】
また、容器本体は、側壁の少なくとも一部に、外部の床面と安定して接する平滑面を有しているとよい。すなわち、容器本体の横断面形状を蒲鉾型、矩形、多角形、三角形等に形成することで、転倒時、別途器具等を用いずとも容器本体が転動するのを防止することができる。
【００３４】
また、生花保持筒には、その前記平滑面に対応する位置に転倒時に水平となる平坦部が設けられていてもよい。
【００３５】
この場合、転倒時、生花保持筒がその平坦部において水の水面と平行となり、生花保持筒の下端縁が水中に没しにくくなるため、水が生花保持筒を伝って外部に漏出するといったことが防止される。
【００３６】
また、容器本体は、底面に、起立時、水の液面を上昇させる沈漬体が生花と干渉しないよう設けられていてもよい。
【００３７】
この場合、起立時、少ない水量でも、生花の水揚げが良好に行われるよう水深（容器底面から水面までの距離）を深くすることができるとともに、このように水の全体量が少ないものとなるため、転倒時においては水深（容器側面から水面までの距離）を浅くすることができ、生花の水揚げの促進、転倒時の水漏れ、輸送重量の削減の３つを同時に達成することが可能となるばかりか、容器本体の底面を大きく採ることが可能となるので、起立時の安定性も良好なものとなる。
【００３８】
また、容器本体は、側壁に、転倒時、水の液面を下降させるべく水の流入を許容する凹部が設けられていてもよい。
【００３９】
この場合、転倒時、水が側壁の凹部に流入するため、その凹部の体積分水の液面が下降することになり、生花保持筒と水面との距離が開き、転倒時、生花保持筒を通じて外部に水が漏れるのが防止される。
【発明の効果】
【００４０】
以上説明したように、本発明によれば、輸送時や保管時であっても生花に常時保水用の水を供給し続け、輸送時や保管時に生じ易い生花の乾燥や萎れを防止しうることは勿論のこと、転倒させても保水用の水が外部に漏出することがなく、いわゆる横積みの状態で輸送及び保管することができるので、輸送及び保管時の省スペース化をも達成しうる。
【００４１】
また、生花保持筒は、蛇腹状に形成され、周方向に伸縮可能とされているので、生花の束の太さに大小が生じても伸縮範囲内で対応が可能となるほか、生花保持筒の収縮作用により生花の束がしっかりと保持され、生花の起立姿勢が安定する。
【００４２】
さらに、容器本体の内面適所に、生花挿入時、生花保持筒の姿勢が崩れるのを防止する保持筒支持手段が設けられている場合は、起立時にあっては、生花の傾斜が完全に阻止され、また、転倒時にあっては、生花の重みで生花保持筒が撓み、その結果生花保持筒の下端縁が容器本体内の水中に水没して、水が生花保持筒を伝って外部に漏出するといったことが防止される。
【００４３】
また、容器本体において、少なくとも、転倒時に容器本体外の床面と接する側壁の内面に、生花保持筒の外面と常時接し、生花挿入時、生花保持筒の姿勢が崩れるのを防止するとともに、転倒時には生花保持筒が側壁側に沈下するのを防止する保持筒沈下防止手段が設けられている場合は、起立時にあっては、生花の傾斜が完全に阻止され、また、転倒時にあっては、生花の重みで生花保持筒が容器本体の側壁側に沈下し、その結果生花保持筒の下端縁が容器本体内の水中に水没して、水が生花保持筒を伝って外部に漏出するといったことが防止される。特に、この保持筒沈下防止手段は、転倒時に容器本体外の床面と接する側壁の内面に設けられているから、当該側壁を下にして容器本体を転倒させた状態を長期間継続させても、生花保持筒が生花の重みで容器本体の側壁側に沈下することがない。この点、前記保持筒支持手段は、生花保持筒との間に隙間がある場合、その隙間分生花保持筒が生花の重みで容器本体の側壁側に沈下するので、容器本体を長期間転倒させたままにする場合にはあまり適さないが、少なくとも、容器本体が転倒した瞬間、生花の重みで生花保持筒が撓んで生花保持筒の下端縁が容器本体内の水中に水没し続け、水が生花保持筒を伝って外部に漏出するといったことは防止される。
【００４４】
また、蓋と容器本体とから構成されたものであり、生花保持筒の内径が異なる複数種類の蓋を用意しておけば、生花の束の太さが異なっても、それに左右されることなく容器本体を共通に使用することができる。したがって、前記従来のもの（特に前記第２従来技術）に比べて、取り扱い易く製造コストが嵩まないといった効果を奏する。
【００４５】
さらに、沈漬体を容器本体に設けた場合は、保水用の水量を、従来のものに比べて大幅に少なくすることができるため、水量の減少分、輸送重量の軽減を図ることのできる。したがって、大量輸送に好適である。
【発明を実施するための最良の形態】
【００４６】
以下、本発明の実施の形態について図を参照して説明する。
＜実施の形態１＞
図１は、本発明の実施の形態１に係る生花輸送用容器１の使用状態を示す斜視図、図２は、生花輸送用容器１の平面図、図３は、容器本体１０の平面図、図４は、生花用輸送用容器１を転倒させた状態を示す、図２におけるＩＶ−ＩＶ線に沿う断面図である。
【００４７】
この生花輸送用容器１は、生花Ｆの輸送時や保管時に生じる生花Ｆの乾燥や萎れの防止に必要な量の保水用の水Ｗ（図４参照）を貯溜する容器本体１０と、この容器本体１０内に入れられる生花Ｆの束を、容器本体１０の底面１１に対して起立状態で保持するとともに、転倒時には容器本体１０から水Ｗが漏出するのを防止する蓋２０とを備えたものである。
【００４８】
容器本体１０は、その上面に開口部１２が設けられ、この開口部１２の周囲におけるフランジ部１３に蓋係合用リブ１４が周設されるとともに、全体が裾窄まりに形成されている。また、この実施の形態においては、容器本体１０は、平面視略矩形状に形成されており、４つの側壁１５を有している。各側壁１５には、それぞれ、その内面適所に、生花Ｆ挿入時、後に詳述する蓋２０の生花保持筒２１の姿勢が崩れるのを防止する保持筒支持手段１６が設けられている。
【００４９】
保持筒支持手段１６は、各側壁１５の略中央部を容器本体１０の内方に膨出させてなる膨出部により構成されている。この膨出部１６は、裾広がりの略台形状に形成されている。なお、膨出部１６の形態はこの例に限るものではなく、生花保持筒２１の姿勢が崩れるのを防止し得るのであれば、形状は任意である。また、保持筒支持手段１６は、容器本体１０の側壁１５を膨出させてなる膨出部で構成する以外に、例えば柱状の別部材を側壁１５の内面適所に添設することで構成してもよい。
【００５０】
また、上記保持筒支持手段１６は、上記したように裾広がりの略台形状に形成されたことによって、基端部（容器本体１０の底面１１側）が、沈漬体１７として機能するようになされている。この沈漬体１７は、起立時、水Ｗの液面を上昇させるためのものである。すなわち、この沈漬体１７によって、起立時、少ない水量でも、生花Ｆの水揚げが良好に行われるよう水深（底面１１から水面までの距離）を深くすることができるとともに、このように水Ｗの全体量が少ないものとなるため、転倒時においては水深（側壁１５内面から水面までの距離）を浅くすることができ、生花Ｆの水揚げの促進、転倒時の水漏れ、輸送重量の削減の３つを同時に達成することが可能となるばかりか、容器本体１０の底面１１を大きく採ることが可能となるので、起立時の安定性も良好なものとなる。この沈漬体１７は、保持筒支持手段１６と一体に設ける必要はなく、生花Ｆと干渉しない位置であれば、容器本体１０の底面１１の任意の箇所でよい。
【００５１】
このようになる容器本体１０は、中の保水用の水Ｗの水位が容器本体１０外部からも判るように透明もしくは半透明の合成樹脂から成形されるのが好ましい。また、適正な量の水を補給し得るように、側壁１５の適所に水位表示部１５２を設けておくとよい。なお、容器本体１０の材質は、上記したような合成樹脂に限るものではなく、例えば剛性を有する紙で容器本体全体を成形し、その表面に防水性皮膜を設けたものであってもよい。その場合、中の水Ｗの水位（液面レベル）が容器本体１０外部からも判るよう、側壁１５の一部に透視窓を設けておくとよい。
【００５２】
以上説明したように、容器本体１０を全体形状が裾窄まりとなるよう成形するとともに、保持筒支持手段１６を膨出部で構成した場合、複数個の容器本体１０同士を容易にスタックすることができ、不使用時の保管スペースを最小のものとすることができる。
【００５３】
前記蓋２０は、容器本体１０の開口部１２に対し水密状態に装着可能とされるとともに、容器本体１０内へ延びる生花保持筒２１が設けられたものである。この蓋２０は、外形状が容器本体１０のフランジ部１３の外形状と合致するように形成されており、周囲に容器本体１０の蓋係合用リブ１４と嵌合する嵌合リブ２２が設けられている。
【００５４】
上記生花保持筒２１は、裾窄まりに形成されるとともに、蛇腹状に形成されており、周方向に伸縮可能とされている。この生花保持筒２１の長さ及び窄まり具合は、その下端が、転倒時に保水用の水の水位よりも下まわることがなく、且つ、所望量の生花Ｆの束を挿入し得てしかも該束を保持しうるよう適宜設定される。なお、生花保持筒２１を上記したように裾窄まりに形成しておくと、不使用時、複数個の蓋２０同士をスタックすることができ、保管スペースを節減することが可能となる。さらに、生花保持筒２１の内径が異なる複数種類の蓋２０を予め用意しておくことで、生花Ｆの束の太さに応じて適宜その太さに適合する内径をもった別の蓋２０と交換して使用することができ、生花の出荷作業を容易なものにすることができる。
【００５５】
以上のようになる生花輸送用容器１は、図４に示すように、転倒時、水Ｗの全量が、容器本体１０と生花保持筒２１との間の空間に滞留可能なものであり、蓋２０は容器本体１０の開口部１２に上記各リブ１４，２２によって水密状態に装着されていることから、容器本体１０内の水Ｗが、生花保持筒２１や、容器本体１０と蓋２０との境界等を通じて外部に漏出することはない。なお、図中の符号Ｌは、床面を示す。
【００５６】
＜実施の形態２＞
図５乃至図８は、本発明の実施の形態２を示し、図５は、生花輸送用容器１の平面図、図６は、容器本体１０の平面図、図７は、図６におけるＶＩＩ−ＶＩＩ線に沿う容器本体１０の断面図、図８は、生花輸送用容器１を転倒させた状態を示す、図５におけるＶＩＩＩ−ＶＩＩＩ線に沿う断面図である。
【００５７】
この実施の形態２における生花輸送用容器１は、図１乃至図４で示したものと、容器本体１０に保持筒沈下防止手段１８を設けた点、容器本体１０の側壁１５に、転倒時、水Ｗの液面を下降させるべく水の流入を許容する凹部１９を設けた点、及び、蓋２０の生花保持筒２１に垂下防止手段２３を設けた点で異なるだけであり、その他は同一であるので、同一構成要素には同一符号を付しその説明を省略するとともに、上記相違点についてのみ、以下説明する。
【００５８】
容器本体１０には、転倒時に容器本体１０外の床面Ｌに臨む側壁１５１の内面に、蓋２０の生花保持筒２１の外面と常時接し、生花Ｆ挿入時、生花保持筒２１の姿勢が崩れるのを防止するとともに、転倒時には生花保持筒２１が側壁１５１側に沈下するのを防止する保持筒沈下防止手段１８が設けられている。
【００５９】
また、容器本体１０の側壁１５には、転倒時、水Ｗの液面を下降させるべく水の流入を許容する凹部１９が設けられている。これら凹部１９は、図示例ではそれぞれ３本の溝で構成されており、側壁１５の補強リブとしても機能するように図られている。このような凹部１９を設けることで、転倒時、水Ｗが側壁１５の凹部１９に流入し、これによってその凹部１９の体積分水Ｗの液面が下降することになり、生花保持筒２１と水面との距離が開き、転倒時、生花保持筒２１を通じて外部に水が漏れるのが防止される。なお、水位表示部１５２も、上記凹部１９と同様の構成にすると、凹部１９と上記したのと同じ機能を果たすことになる。
【００６０】
この保持筒沈下防止手段１８は、前記した保持筒支持手段１６と同様、側壁１５１の略中央部を容器本体１０の内方に膨出させてなる膨出部により構成されている。この膨出部１８は、裾広がりの略台形状に形成されているが、保持筒支持手段１６における膨出部よりも幅狭に形成されるとともに、膨出高さは保持筒支持手段１６のそれよりも高く設定され、生花保持筒２１の外面と常時接するようになされている。また、生花保持筒２１の外面と接しない下端部側は、容器本体１０の内方に必要以上突出しないよう、生花保持筒２１の外面と接する部分とは傾斜角度が異なっている。上記下端部側をこのように形成しておくと、生花Ｆの束の下端部が当該膨出部１８に当たることが防止でき、生花Ｆの束を生花保持筒２１に挿入する際、該下端部が邪魔になることがない。なお、膨出部１８の形態はこの例に限るものではなく、上記した機能を発揮し得るのであれば、形状は任意である。また、保持筒支持手段１６は、容器本体１０の側壁１５を膨出させてなる膨出部で構成する以外に、例えば柱状の別部材を側壁１５の内面に添設することで構成してもよい。
【００６１】
また、保持筒沈下防止手段１８は、その基端部が、実施の形態１で説明した保持筒支持手段１６と同様、沈漬体１７とされている。
【００６２】
一方、蓋２０の生花保持筒２１は、前記の実施の形態のものと同様、蛇腹状に形成されるとともに、上記した保持筒沈下防止手段（膨出部）１８に対応する部位及びその周辺適所に、該部位の周辺が保持筒沈下防止手段１８よりも下方に垂下するのを防止する垂下防止手段２３を有している。この垂下防止手段２３は、例えば、生花保持筒２１の下端部の一部において、蛇腹を潰すことで構成されている。なお、垂下防止手段２３は、そのような構成のものに限らず、例えば、図示はしないが、断面コ字状で全体が円弧状に形成された別部材で構成し、この別部材を、生花保持筒２１の垂下防止手段２３に対応する位置の下端部に嵌着するようにしてもよい。このように、垂下防止手段２３を設けた場合、特に生花保持筒２１が蛇腹状に形成されている場合には、保持筒沈下防止手段１８が設けられている側壁１５を下にして容器本体１０を転倒させた状態を長期間継続させた時に、生花Ｆの重みで、保持筒沈下防止手段１８に対応する部位の周辺が保持筒沈下防止手段１８よりも下方に垂下しようとするのを効果的に防止しうる。
【００６３】
なお、この実施の形態のものにあっては、図示はしないが、保持筒沈下防止手段１８が設けられている側壁１５１が４つの側壁１５のうちのいずれであるかを明示するためのマーカーを容器本体１０又は／及び蓋２０の適所に設けておくと、容器本体１０を転倒させる際、保持筒沈下防止手段１８が設けられている側壁１５を常に床Ｌ側にもっていくことができ、転倒時における水の漏出を確実に防止することができる。
【００６４】
また、上記したいずれの実施の形態のものにあっても、図示はしないが、容器本体１０の、生花保持筒２１の下端開口部が臨む底面１１に、生花Ｆの切断端部を保持する、例えば円形の凸壁や凹部などからなる切断端保持部を設けておくとよい。その場合、切断端保持部が生花保持筒２１と協働で生花Ｆの束をしっかりと保持することになるので、起立状態にあっても転倒状態にあっても生花Ｆの姿勢を常に適正に維持することができる。
【００６５】
＜実施の形態３＞
図９及び図１０は、本発明の実施の形態３を示し、図９は、生花輸送用容器１の平面図、図１０は、分解状態で示す、図９におけるＸ−Ｘ線に沿う断面図である。
【００６６】
この実施の形態３における生花輸送用容器１は、上記実施の形態２のものと、保持筒沈下防止手段１８の基端部を大きくして沈漬体１７の体積を増加させた点、及び、蓋２０の生花保持筒２１に平坦部２４を設けた点で異なるだけであり、その他は同一であるので、同一構成要素には同一符号を付しその説明を省略するとともに、上記相違点についてのみ、以下説明する。
【００６７】
保持筒沈下防止手段１８は、その基端部が、実施の形態２のそれよりも大きくなされ、これによって沈漬体１７の体積がより大きなものとされている。このため、起立時、水Ｗの量が少なくても、その液面レベルを高くすることができ、より一層生花Ｆの水揚げが良好に行われる。
【００６８】
一方、生花保持筒２１には平坦部２４が設けられている。この平坦部２４は、転倒時、床面Ｌ側にくる位置に設けられる。また平坦部２４の下端部においては、蛇腹部分の谷部がすべて閉塞２５されており、これによって、転倒時、蛇腹部分の谷部から水Ｗが生花保持筒２１内に流入するのが防止される。また、このように蛇腹部分の谷部がすべて閉塞２５されることにより、この閉塞２５部分で垂下防止手段２３が構成されることにもなる。
【００６９】
また、蓋２０を容器本体１０に装着する際、上記平坦部２４が転倒時に床面Ｌ側にくる位置、つまり保持筒沈下防止手段１８が設けられた位置にくるよう、蓋２０には、保持筒沈下防止手段１８の上端に対応する位置に凸部２６が形成されている。この凸部２６は、保持筒沈下防止手段１８の上端とのみ嵌合し、他の保持筒支持手段１６の上端とは嵌合しないようになされている。これによって、閉蓋する際、蓋２０を容器本体１０に対して正しい姿勢、すなわち平坦部２４が転倒時に床面Ｌ側にくる位置とすることができる。なお、この点は、実施の形態２においても同様の構成としており、図５に示す符号２６が上記凸部に該当する。
【図面の簡単な説明】
【００７０】
【図１】本発明に係る生花輸送用容器の使用状態を示す斜視図である。
【図２】本発明に係る生花輸送用容器の実施の形態１を示す平面図である。
【図３】実施の形態１の容器本体の平面図である。
【図４】実施の形態１に係る生花用輸送用容器を転倒させた状態を示す、図２におけるＩＶ−ＩＶ線に沿う断面図である。
【図５】本発明に係る生花輸送用容器の実施の形態２を示す平面図である。
【図６】実施の形態２の容器本体の平面図である。
【図７】図６におけるＶＩＩ−ＶＩＩ線に沿う容器本体の断面図である。
【図８】実施の形態２の生花輸送用容器を転倒させた状態を示す、図５におけるＶＩＩＩ−ＶＩＩＩ線に沿う断面図である。
【図９】本発明に係る生花輸送用容器の実施の形態３を示す平面図である。
【図１０】図９におけるＸ−Ｘ線に沿う分解断面図である。
【図１１】従来の生花輸送用容器の一例を示す、使用状態の斜視図である。
【図１２】図９に示す従来の生花輸送用容器の断面図ある。
【符号の説明】
【００７１】
１  生花輸送用容器
１０  容器本体
１１  底面
１２  開口部
１３  フランジ部
１４  蓋係合用リブ
１５  側壁
１５１  床面に臨む側壁
１５２  水位表示部
１６  保持筒支持手段
１７  沈漬体
１８    保持筒沈下防止手段
１９  凹部
２０  蓋
２１  生花保持筒
２２  嵌合リブ
２３  垂下防止手段
Ｆ  生花
Ｗ  水
Ｌ  床面
【図１】
2006052025.tif 000003
【図２】
2006052025.tif 000004
【図３】
2006052025.tif 000005
【図４】
2006052025.tif 000006
【図５】
2006052025.tif 000007
【図６】
2006052025.tif 000008
【図７】
2006052025.tif 000009
【図８】
2006052025.tif 000010
【図９】
2006052025.tif 000011
【図１０】
2006052025.tif 000012
【図１１】
2006052025.tif 000013
【図１２】
2006052025.tif 000014